(57)【特許請求の範囲】
【請求項１】
特定の処理に関する制御を行うことのできる外部機器の撮像部により得られた撮像画像から検出された被写体情報を、前記撮像部により得られた撮像画像を受信することなく受信可能な通信手段と、
前記通信手段により受信した前記被写体情報に基づくアイテムを表示部に表示させるように制御可能な表示制御手段と、
前記表示部に表示された複数の前記アイテムのうち、前記特定の処理の基準となる被写体に対応するアイテムをユーザが選択する操作を受け付ける受付手段と、
ユーザによりアイテムが選択されたことに応じて、選択されたアイテムに関する被写体情報を前記外部機器に送信するように前記通信手段を制御する制御手段とを有することを特徴とする撮像制御装置。
【請求項２】
前記通信手段は、前記特定の処理の基準となる被写体に関する情報も受信可能であり、
前記表示制御手段は、前記特定の処理の基準となる被写体に対応するアイテムを、前記特定の処理の基準となっていない被写体に対応するアイテムとは識別可能に表示するように制御することを特徴とする請求項１に記載の撮像制御装置。
【請求項３】
前記被写体情報は、前記撮像画像から、検出された顔に基づく情報であることを特徴とする請求項１または２に記載の撮像制御装置。
【請求項４】
前記特定の処理はオートフォーカスであることを特徴とする請求項１乃至３の何れか１項に記載の撮像制御装置。
【請求項５】
前記被写体情報に基づくアイテムは検出された顔の位置を示すマークであることを特徴とする請求項１乃至４の何れか１項に記載の撮像制御装置。
【請求項６】
前記表示部へのタッチ操作を検出するタッチ検出手段をさらに有し、
前記受付手段は、前記表示部に表示された複数の前記アイテムのうちいずれかをタッチする操作に応じて、前記特定の処理の基準となる被写体の選択を受け付けることを特徴とする請求項１乃至５の何れか１項に記載の撮像制御装置。
【請求項７】
前記表示制御手段は、前記表示部のうち、前記通信手段で受信した各被写体の被写体情報が有する座標に基づいた位置に各被写体に対応するアイテムを表示し、前記特定の処理の基準となる被写体の座標に基づいた位置に前記特定の処理の基準となる被写体に対応するアイテムを表示するように制御することを特徴とする請求項１乃至６の何れか１項に記載の撮像制御装置。
【請求項８】
前記表示制御手段は、撮像画像を表示することなく、前記アイテムを前記表示部に表示するように制御することを特徴とする請求項１乃至７の何れか１項に記載の撮像制御装置。
【請求項９】
前記被写体情報は、各被写体を示す名前、記号、印、番号のいずれか１つの識別子を含み、
前記表示制御手段は、前記アイテムと共に、前記識別子を表示するように制御することを特徴とする請求項１乃至８の何れか１項に記載の撮像制御装置。
【請求項１０】
撮像部により得られた撮像画像から特定の被写体を検出可能な検出手段と、
前記撮像部により得られた撮像画像を外部機器に送信することなく、前記検出手段により検出された被写体に基づく複数の被写体情報を前記外部機器に送信可能であり、前記外部機器において前記複数の被写体情報より選択された特定の処理の基準となる被写体情報を受信可能な通信手段と、
前記通信手段で受信した前記特定の処理の基準となる被写体情報に基づき、前記特定の処理を行うように制御する制御手段とを有する撮像制御装置。
【請求項１１】
前記特定の被写体は、人物の顔であることを特徴とする請求項１０に記載の撮像制御装置。
【請求項１２】
前記特定の処理はオートフォーカスであることを特徴とする請求項１０または１１に記載の撮像制御装置。
【請求項１３】
前記特定の処理は、自動露出、オートホワイトバランスのいずれかを含むことを特徴とする請求項１０または１１に記載の撮像制御装置。
【請求項１４】
前記撮像部により得られた撮像画像は前記被写体情報に含まれないことを特徴とする請求項１０乃至１３の何れか１項に記載の撮像制御装置。
【請求項１５】
前記制御手段は、前記外部機器から前記特定の処理の基準となる被写体情報を受信したことに応じて、該被写体情報を示すアイテムを表示部に表示するように制御することを特徴とする請求項１０乃至１４の何れか１項に記載の撮像制御装置。
【請求項１６】
特定の処理に関する制御を行うことのできる外部機器の撮像部により得られた撮像画像から検出された被写体情報を、前記撮像部により得られた撮像画像を受信することなく受信可能な通信ステップと、
前記通信ステップにおいて受信した前記被写体情報に基づくアイテムを表示部に表示させるように制御可能な表示制御ステップと、
前記表示部に表示された複数の前記アイテムのうち、前記特定の処理の基準となる被写体に対応するアイテムをユーザが選択する操作を受け付ける受付ステップと、
ユーザによりアイテムが選択されたことに応じて、選択されたアイテムに関する被写体情報を前記外部機器に送信するように制御する制御ステップとを有することを特徴とする撮像制御装置の制御方法。
【請求項１７】
撮像部により得られた撮像画像から特定の被写体を検出可能な検出ステップと、
前記撮像部により得られた撮像画像を外部機器に送信することなく、前記検出ステップにおいて検出された被写体に基づく複数の被写体情報を前記外部機器に送信可能であり、前記外部機器において前記複数の被写体情報より選択された特定の処理の基準となる被写体情報を受信可能な通信ステップと、
前記通信ステップにおいて受信した前記特定の処理の基準となる被写体情報に基づき、前記特定の処理を行うように制御する制御ステップとを有する撮像制御装置の制御方法。
【請求項１８】
コンピュータを、請求項１乃至１５のいずれか１項に記載された撮像制御装置の各手段として機能させるためのプログラム。
【請求項１９】
コンピュータを、請求項１乃至１５のいずれか１項に記載された撮像制御装置の各手段として機能させるためのプログラムを格納したコンピュータが読み取り可能な記録媒体。
【発明の詳細な説明】
【技術分野】
【０００１】
本発明は、撮像制御装置およびその制御方法に関し、特に特定の処理の基準となる被写体を選択する技術に関する。
【背景技術】
【０００２】
近年、撮影方法の多様化により、撮像装置とは離れた位置にある装置への操作により、ＡＦ（自動合焦）する被写体を指示する方法がある。特許文献１には、パソコンに表示される撮像画像上にあるＡＦ位置指定ボタンを移動させることによりＡＦ位置を指定することが提案されている。特許文献２には、複数の被写体（顔）のうち、ピントを合わせる被写体（主被写体）を選択する方法が提案されている。
【先行技術文献】
【特許文献】
【０００３】
【特許文献１】特開２００３−１２５２７３号公報
【特許文献２】特開２０１０−１２４１２０号公報
【発明の概要】
【発明が解決しようとする課題】
【０００４】
ＡＦ処理、ＡＥ（自動露出）処理、ＷＢ（ホワイトバランス）処理等の撮像装置側で行う特定の処理をする被写体の選択をリモート操作によって行うことがある。特許文献１のＡＦ位置を撮像画像上で選択する方法で、特許文献２のように複数の被写体からの主被写体の選択をリモート装置（リモコン）側で行うと、撮像画像の受信を行いながら主被写体の選択をすることになる。通信量が限られている場合には、画像の送受信に遅延が発生するため、リモコン側でユーザが選択した位置には実際には他の被写体があり、ユーザの選択した被写体と実際にＡＦがされる被写体とがずれてしまう可能性がある。すなわち、リモートで撮像画像の送受信を行うと、ユーザが選択した被写体とは異なる被写体へ特定の処理が行われてしまう可能性がある。
【０００５】
本発明は、上記の課題に鑑み、特定の処理を行う主被写体の選択をリモートで行う場合に、ユーザの選択する被写体がより確実に特定の処理の基準となるようにした撮像制御装置の提供を目的とする。
【課題を解決するための手段】
【０００６】
上記目的を達成するために、本発明の撮像制御装置は、特定の処理に関する制御を行うことのできる外部機器の撮像部により得られた撮像画像から検出された被写体情報を、前記撮像部により得られた撮像画像を受信することなく受信可能な通信手段と、前記通信手段により受信した前記被写体情報に基づくアイテムを表示部に表示させるように制御可能な表示制御手段と、前記表示部に表示された複数の前記アイテムのうち、前記特定の処理の基準となる被写体に対応するアイテムをユーザが選択する操作を受け付ける受付手段と、ユーザによりアイテムが選択されたことに応じて、選択されたアイテムに関する被写体情報を前記外部機器に送信するように前記通信手段を制御する制御手段とを有することを特徴とする。
【発明の効果】
【０００７】
本発明によれば、特定の処理を行う主被写体の選択をリモートで行う場合に、ユーザの選択する被写体がより確実に特定の処理の基準となるようにすることができる。
【図面の簡単な説明】
【０００８】
【図１】（ａ）本実施形態の構成を適用可能な装置の一例としてのデジタルカメラとリモコンの外観図、（ｂ）本実施形態の構成を適用可能な装置の一例としてのリモコンの構成例を示すブロック図
【図２】本実施形態の構成を適用可能な装置の一例としてのデジタルカメラの構成例を示すブロック図
【図３】本実施形態におけるデジタルカメラ側のＡＦ位置の指定処理を示すフローチャート
【図４】本実施形態におけるリモコン側のＡＦ位置の指定処理を示すフローチャート
【図５】（ａ）〜（ｂ）、（ｆ）表示部５０１及び操作部５０２の一例を示す図、（ｃ）、（ｅ）ファインダ内表示部９１の表示例を示す図、（ｄ）表示部５０５及び操作部５０８の一例を示す図
【発明を実施するための形態】
【０００９】
以下、図面を参照して本発明の好適な実施形態を説明する。
【００１０】
図１（ａ）、（ｂ）に第一実施形態を適用可能な撮像制御装置の一例としてのデジタルカメラの外観図を示す。図１（ａ）はデジタルカメラ１００の前面斜視図であり、図１（ｂ）はデジタルカメラ１００の背面斜視図である。表示部２８は画像や各種情報を表示する表示部であり、タッチ操作を受付可能（タッチ検出可能）なタッチパネル７０ａが重畳して設けられている。シャッターボタン６１は撮影指示を行うための操作部である。モード切替スイッチ６０は各種モードを切り替えるための（切替可能な）操作部である。端子カバー４０は外部機器とデジタルカメラ１００とを接続する接続ケーブル等のコネクタ（不図示）を保護するカバーである。メイン電子ダイヤル７１は操作部７０に含まれる回転操作部材であり、このメイン電子ダイヤル７１を回すことで、シャッター速度や絞りなどの設定値の変更等が行える。電源スイッチ７２はデジタルカメラ１００の電源のＯＮ及びＯＦＦを切り替える操作部材である。サブ電子ダイヤル７３は、操作部７０に含まれる回転操作部材であり、選択枠の移動や画像送りなどを行える。十字キー７４は操作部７０に含まれ、上、下、左、右部分をそれぞれ押し込み可能な十字キー（４方向キー）である。十字キー７４の押した部分に応じた操作が可能である。ＳＥＴボタン７５は操作部７０に含まれ、押しボタンであり、主に選択項目の決定などに用いられる。ＬＶボタン（ライブビューボタン）７８は操作部７０に含まれ、静止画撮影モードにおいては、表示部２８におけるライブビュー（以下、ＬＶ）表示のＯＮとＯＦＦを切り替えるボタンである。動画撮影モードにおいては、動画撮影（記録）の開始、停止の指示に用いられる。再生ボタン７９は操作部７０に含まれ、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１１】
グリップ部９０は、デジタルカメラ１００を保持しながら操作をするための保持部（把持部）であり、グリップ部９０側には操作部７０がある。
【００１２】
ユーザは、ファインダ１６を覗きこむと、光学ファインダ（ＯＶＦ）を通して被写体を見ることができる（視認可能）。接眼センサ７７は、物体が１センチや２センチ等の所定距離より近い距離（所定距離以内）に接近していることを検知するための物体検知手段（接眼検知）である。例えばユーザがファインダ内表示部７６を見ようとファインダ１６に目を近付け（接眼部１６ａを覗きこむようにする）、接眼センサ７７が物体（目）の接近を検知すると、ＯＶＦを通して見える被写体に、ファインダ内表示部７６の表示が重畳して見える。また、接眼センサ７７は所定距離以上物体（目）が離れたことを検知すると、ファインダ内表示部７６からアイテム等の表示を非表示にする。また、ユーザがファインダ１６を覗きこむと、表示部２８は非表示になるが、ＡＦ位置の設定等のためのタッチパネル７０ａへのタッチ操作は受け付けることができる。このとき、グリップ部９０を保持しシャッターボタン６１に指をかけた状態で、タッチパネル７０ａへタッチ操作をすると、ファインダ内表示部７６の表示（とＯＶＦを通して見える被写体）を見ながら、ＡＦ位置の移動操作と撮影指示とを素早く行うことができる。ただし、ファインダ１６の表示は、ＯＶＦでなくても、ＥＶＦ（電子ビューファインダ）でもよい。
【００１３】
レンズユニット１５０は、デジタルカメラ１００に取り外し可能なレンズ部である。
【００１４】
図２は、本実施形態によるデジタルカメラ１００の構成例を示すブロック図である。
【００１５】
図２において、レンズユニット１５０は、交換可能な撮影レンズを搭載するレンズユニットである。レンズ１０３は通常、複数枚のレンズから構成されるが、ここでは簡略して一枚のレンズのみで示している。通信端子６はレンズユニット１５０がデジタルカメラ１００側と通信を行う為の通信端子であり、通信端子１０はデジタルカメラ１００がレンズユニット１５０側と通信を行う為の通信端子である。
【００１６】
ＡＥセンサー１７は、レンズユニット１５０、クイックリターンミラー１２を通し、フォーカシングスクリーン１３上に結像した被写体（像）の輝度を測光する。
【００１７】
クイックリターンミラー１２（以下、ミラー１２）は、露光、ライブビュー撮影、動画撮影の際にシステム制御部５０から指示されて、不図示のアクチュエータによりアップダウンされる。ミラー１２は、レンズ１０３から入射した光束をファインダ１６側と撮像部２２側とに切替えるためのミラーである。ミラー１２は通常時はファインダ１６へと光束を導くよう反射させるように配されているが、撮影が行われる場合やライブビュー表示の場合には、撮像部２２へと光束を導くように上方に跳ね上がり光束中から待避する（ミラーアップ）。またミラー１２はその中央部が光の一部を透過できるようにハーフミラーとなっており、光束の一部を、焦点検出を行うための焦点検出部１１に入射するように透過させる。
【００１８】
撮影者は、ペンタプリズム１４とファインダ１６を介して、フォーカシングスクリーン１３上に結合された像を観察することで、レンズユニット１５０を通して得た被写体の光学像の焦点状態や構図の確認が可能となる。
【００１９】
ファインダ内表示部７６は、レンズ１０３からファインダ１６までの光路上に配置された表示部であり、システム制御部５０を介して、現在ＡＦ位置を示す枠や、カメラの設定状態を表すアイコン等（アイテム、マーク、記号等）が表示される。フォーカシングスクリーン１３とファインダ内表示部７６は近接した位置にあり、それぞれの表示を一度に確認できるように重ねて配置される。
【００２０】
焦点検出部１１（ＡＦセンサー）は、撮像画像よりシステム制御部５０にデフォーカス量情報を出力する位相差検出方式のＡＦセンサーである。システム制御部５０は通信端子６，１０を介して、レンズユニット１５０を制御可能であり、ＡＦ駆動回路３を介して、デフォーカス量情報に基づいて位相差ＡＦを行い、レンズ１０３の位置を変位させることで位相差ＡＦを行う（ＡＦ実行可能）。ＡＦの方法は、位相差ＡＦでなくてもよく、コントラストＡＦでもよい。
【００２１】
撮像部２２は光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００２２】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００２３】
表示部２８は画像を表示するための背面モニタであり、画像を表示するディスプレイであれば液晶方式に限らず、有機ＥＬなど他の方式のディスプレイであってもよい。
【００２４】
Ａ／Ｄ変換器２３からの出力データは、画像処理部２４及びメモリ制御部１５を介して、或いは、メモリ制御部１５を介してメモリ３２に直接書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像および音声を格納するのに十分な記憶容量を備えている。また、メモリ３２は画像表示用のメモリ（ビデオメモリ）を兼ねている。Ｄ／Ａ変換器１９は、メモリ３２に格納されている画像表示用のデータをアナログ信号に変換して表示部２８やファインダ内表示部７６に供給する。こうして、メモリ３２に書き込まれた表示用の画像データはＤ／Ａ変換器１９を介して表示部２８やファインダ内表示部７６により表示される。表示部２８やファインダ内表示部７６は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換する。さらに、表示部２８（ファインダ内の表示がＥＶＦである場合にはＥＶＦ）に逐次転送して表示することで、電子ビューファインダとして機能し、スルー画像表示（ライブビュー表示）を行える。
【００２５】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのプログラムのことである。
【００２６】
システム制御部５０は、デジタルカメラ１００全体を制御する。前述した不揮発性メモリ５６に記録されたプログラムを実行することで、後述する本実施形態の各処理を実現する。システムメモリ５２には、システム制御部５０の動作用の定数、変数、不揮発性メモリ５６から読み出したプログラム等を展開され、ＲＡＭが用いられる。また、システム制御部５０はメモリ３２、Ｄ／Ａ変換器１９、表示部２８、ファインダ内表示部７６等を制御することにより表示制御も行う。
【００２７】
システムタイマー５３は各種制御に用いる時間や、内蔵された時計の時間を計測する計時部である。
【００２８】
モード切替スイッチ６０、シャッターボタン６１、操作部７０はシステム制御部５０に各種の動作指示を入力するための操作手段である。
【００２９】
モード切替スイッチ６０は、システム制御部５０の動作モードを撮影モード、再生モード等のいずれかに切り替える。また、撮影シーン別の撮影設定となる各種シーンモード、プログラムＡＥモード、カスタムモード等がある。モード切替スイッチ６０で、メニュー画面に含まれるこれらのモードのいずれかに直接切り替えられる。あるいは、メニュー画面に一旦切り換えた後に、メニュー画面に含まれるこれらのモードのいずれかに、他の操作部材を用いて切り替えるようにしてもよい。
【００３０】
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ（オートフォーカス）処理、ＡＥ（自動露出）処理、ＡＷＢ（オートホワイトバランス）処理、ＥＦ（フラッシュプリ発光）処理等の動作を開始する。
【００３１】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２からの信号読み出しから記録媒体２００に画像データを書き込むまでの一連の撮影処理の動作を開始する。
【００３２】
操作部７０の各操作部材は、表示部２８に表示される種々の機能アイコンを選択操作することなどにより、場面ごとに適宜機能が割り当てられ、各種機能ボタンとして作用する。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７８、再生ボタン７９。利用者は、表示部２８に表示されたメニュー画面と、上下左右の４方向ボタンやＳＥＴボタンとを用いて直感的に各種設定を行うことができる。
【００３３】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。電源スイッチ７２は、電源のＯＮとＯＦＦの切替操作を受け付ける。
【００３４】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインターフェースである。記録媒体２００は、撮影された画像を記録するためのメモリカード等の記録媒体であり、半導体メモリや磁気ディスク等から構成される。
【００３５】
通信部５４は、無線または有線ケーブルによって接続し、映像信号や音声信号の送受信を行う。通信部５４は無線ＬＡＮ（Ｌｏｃａｌ  Ａｒｅａ  Ｎｅｔｗｏｒｋ）やインターネットとも接続可能である。通信部５４は撮像部２２で撮像した画像（スルー画像を含む）や、記録媒体２００に記録された画像を送信可能であり、また、外部機器から画像データやその他の各種情報を受信（受信可能）することができる。
【００３６】
なお操作部７０の一つとして、表示部２８に対する接触を検知可能なタッチパネル７０ａを有する。タッチパネル７０ａと表示部２８とは一体的に構成することができる。例えば、タッチパネル７０ａを光の透過率が表示部２８の表示を妨げないように構成し、表示部２８の表示面の上層に取り付ける。そして、タッチパネルにおける入力座標と、表示部２８上の表示座標とを対応付ける。これにより、恰もユーザが表示部２８上に表示された画面を直接的に操作可能であるかのようなＧＵＩ（グラフィカルユーザーインターフェース）を構成することができる。このように、タッチ操作が行われた位置と表示部２８の位置とを対応づけて指示を受け付ける設定を絶対座標設定という。
【００３７】
また、絶対座標設定とは異なり、表示部２８の所定の位置から、タッチ座標ではなく、タッチ操作の移動量や移動方向等に応じて移動した位置（移動操作に応じた量移動した位置）への指示を受け付ける設定を相対座標設定という。
【００３８】
ファインダ内表示部７６を見ながら操作をする場合には、絶対座標設定でタッチ操作をすると、タッチパネル７０ａ（表示部２８）を見ないでタッチすることになり、所望の位置からずれた位置に誤ってタッチ操作をしてしまう可能性が高い。一方で、相対座標設定でタッチ操作をすると、タッチ操作の位置ではなく移動量で移動指示をするので、ファインダ内表示部７６に表示される操作対象の位置を見ながら所望の位置まで、移動する操作をすれば所望の位置への指示をすることができる。絶対座標設定と相対座標設定はメニュー画面のタッチパッド設定において設定することができる。相対座標設定の場合に、表示部２８をユーザが見ている状態で操作をすると、タッチ位置と指示位置がずれて操作性がよくない可能性がある。よって、接眼センサ７７が物体の接近を検知した時に相対座標でのタッチ操作を受け付けると、表示部２８をみている場合にもファインダ内表示部７６を見ている場合にも操作性がよい。なお、表示部２８に画像を表示しないが、タッチパネル７０ａがタッチ操作を受け付ける機能をタッチパッド機能と称する。
【００３９】
システム制御部５０はタッチパネル７０ａへの以下の操作、あるいは状態を検出できる。
・タッチパネルにタッチしていなかった指やペンが新たにタッチパネルにタッチしたこと。すなわち、タッチの開始（以下、タッチダウン（Ｔｏｕｃｈ−Ｄｏｗｎ）と称する）。
・タッチパネルを指やペンでタッチしている状態であること（以下、タッチオン（Ｔｏｕｃｈ−Ｏｎ）と称する）。
・タッチパネルを指やペンでタッチしたまま移動していること（以下、タッチムーブ（Ｔｏｕｃｈ−Ｍｏｖｅ）と称する）。
・タッチパネルへタッチしていた指やペンを離したこと。すなわち、タッチの終了（以下、タッチアップ（Ｔｏｕｃｈ−Ｕｐ）と称する）。
・タッチパネルに何もタッチしていない状態（以下、タッチオフ（Ｔｏｕｃｈ−Ｏｆｆ）と称する）。
【００４０】
タッチダウンが検出されると、同時にタッチオンであることも検出される。タッチダウンの後、タッチアップが検出されない限りは、通常はタッチオンが検出され続ける。タッチムーブが検出されるのもタッチオンが検出されている状態である。タッチオンが検出されていても、タッチ位置が移動していなければタッチムーブは検出されない。タッチしていた全ての指やペンがタッチアップしたことが検出された後は、タッチオフとなる。
【００４１】
これらの操作・状態や、タッチパネル上に指やペンがタッチしている位置座標は内部バスを通じてシステム制御部５０に通知され、システム制御部５０は通知された情報に基づいてタッチパネル上にどのような操作が行なわれたかを判定する。タッチムーブについてはタッチパネル上で移動する指やペンの移動方向についても、位置座標の変化に基づいて、タッチパネル上の垂直成分・水平成分毎に判定できる。タッチオンが検出されてからタッチムーブせずに、素早タッチアップする一連の操作をタップという。またタッチパネル上をタッチダウンから一定のタッチムーブを経てタッチアップをしたとき、ストロークを描いたこととする。素早くストロークを描く操作をフリックと呼ぶ。フリックは、タッチパネル上に指をタッチしたままある程度の距離だけ素早く動かして、そのまま離すといった操作であり、言い換えればタッチパネル上を指ではじくように素早くなぞる操作である。所定距離以上を、所定速度以上でタッチムーブしたことが検出され、そのままタッチアップが検出されるとフリックが行なわれたと判定できる。また、所定距離以上を、所定速度未満でタッチムーブしたことが検出された場合はドラッグが行なわれたと判定するものとする。タッチパネルは、抵抗膜方式や静電容量方式、表面弾性波方式、赤外線方式、電磁誘導方式、画像認識方式、光センサ方式等、様々な方式のタッチパネルのうちいずれの方式のものを用いても良い。方式によって、タッチパネルに対する接触があったことでタッチがあったと検出する方式や、タッチパネルに対する指やペンの接近があったことでタッチがあったと検出する方式ものがあるが、いずれの方式でもよい。
【００４２】
顔検出機能について説明する。システム制御部５０は顔検出対象の画像データを画像処理部２４に送る。システム制御部５０の制御下で画像処理部２４は、当該画像データに水平方向バンドパスフィルタを作用させる。また、システム制御部５０の制御下で画像処理部２４は処理された画像データに垂直方向バンドパスフィルタを作用させる。これら水平及び垂直方向のバンドパスフィルタにより、画像データよりエッジ成分が検出される。
【００４３】
その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。そして、システム制御部５０は、絞り込まれた目の候補群とそれに対応する顔を形成する他のパーツ（鼻、口、耳）を対応付け、また、予め設定した非顔条件フィルタを通すことで、顔を検出する。システム制御部５０は、顔の検出結果に応じて上記顔情報を出力し、処理を終了する。このとき、顔の数や顔の撮影画像に対する座標などの情報をシステムメモリ５２に記憶する。
【００４４】
以上のようにライブビュー表示あるいは再生表示される画像データを画像解析して、画像データの特徴量を抽出して被写体情報を検出することが可能である。本実施例では被写体情報として顔情報を例に挙げたが、被写体情報には他にも赤目判定や目の検出、目つむり検出、笑顔検出等の様々な情報がある。
【００４５】
なお、顔ＡＦと同時に顔ＡＥ，顔ＦＥ、顔ＷＢを行うことができる。顔ＡＥとは検出された顔の明るさに合わせて、画面全体の露出を最適化することである。顔ＦＥとは検出された顔を中心にフラッシュの調光をすることである。顔ＷＢとは、検出された顔の色に合わせて画面全体のＷＢを最適化することである。
【００４６】
図３を用いて本実施形態におけるデジタルカメラ側のＡＦ位置の指定処理について、主顔の選択を例に説明する。この処理は、不揮発性メモリ５６に記録されたプログラムをシステムメモリ５２に展開してシステム制御部５０が実行することで実現する。なお、この処理は、デジタルカメラ３００に電源が入ると開始する。
【００４７】
Ｓ３０１では、システム制御部５０は、リモコン５０４と通信可能であるか否かを判定する。リモコン５０４に電源が入っており、リモコン５０４とデジタルカメラ３００との通信が確立していれば（データの送受信が可能であれば）、Ｓ３０２へ進み、そうでない場合は、Ｓ３０３へ進む。
【００４８】
Ｓ３０２では、システム制御部５０は、リモコン５０４と接続状態であることをシステムメモリ５２に記録する。
【００４９】
Ｓ３０３では、システム制御部５０は、リモコン５０４と非接続状態であることをシステムメモリ５２に記録する。
【００５０】
Ｓ３０４では、システム制御部５０は、現在設定されているモードが撮影モードであるか否かを判定する。撮影モードは、モード切替スイッチ６０やメニュー画面において設定することができる。撮影モードであると判定された場合には、Ｓ３０５へ進み、そうでない場合は、Ｓ３０６へ進む。
【００５１】
Ｓ３０５では、システム制御部５０は、図５（ａ）に示すように、表示部５０１にホーム画面を表示する。図５（ａ）、（ｂ）、（ｆ）は、ホーム画面やＡＦする位置を選択する画面を表示した表示部５０１と、表示部５０１の上辺と下辺に配置されており、表示部５０１とは別に設けられている物理的なボタンとを示したものである。図５（ａ）において表示部５０１にはホーム画面が表示されている。ホーム画面の上側においては、ＦＰＳ（フレームレート）アイコン５２０、ＡＵＤＩＯ（オーディオ）アイコン５２１、ＳＨＵＴＴＥＲ（シャッター速度）アイコン５２２が表示される。また、ホーム画面の下側には、ＷＢ（ホワイトバランス）アイコン５２３、ＩＮＦＯ（情報表示）アイコン５２４、ＦＯＣＵＳ（フォーカス設定）アイコン５２５が表示される。アイコン５２０（ＦＰＳ）〜アイコン５２５（ＦＯＣＵＳ）は、各アイコンへのタッチ操作または、アイコンと対応する位置にあるボタン（上辺のアイコンはその上辺に沿った位置にあるボタン）への押下によって選択される。例えば、ＦＯＣＵＳアイコン５２０はボタン５０２ｇ、ＡＵＤＩＯアイコン５２１はボタン５０２ｃの押下により選択可能である。また、上辺に沿ったアイコンの下部分、下辺に沿ったアイコンの上部分には、各アイコンの示す設定（機能）の設定値が表示されている。各アイコンは機能を示しており、表示部５０１の上辺にある、ＦＰＳアイコン５２０であればフレームレートの設定、ＡＵＤＩＯアイコン５２１であれば音量の設定、ＳＨＵＴＴＥＲアイコン５２２であればシャッター速度の設定をすることができる。さらに、表示部５０１の下辺に沿った位置にある、ＷＢアイコン５２３であればホワイトバランスの設定、ＩＮＦＯアイコン５２４であれば情報表示のＯＮ／ＯＦＦの切り替え、ＦＯＣＵＳアイコン５２５であればフォーカスの設定をすることができる。
【００５２】
Ｓ３０６では、システム制御部５０は、Ｓ３０４において撮影モードではないと判定されたので他のモードの処理を行う。他のモードにおいては、撮影済みの画像を再生する再生モードでの画像再生処理や、メニュー画面において項目の設定をする処理等を行う。
【００５３】
Ｓ３０７では、システム制御部５０は、Ｓ３０５で上述したＦＰＳ５２０〜ＦＯＣＵＳ５２５の機能のいずれかが選択されたか否かを判定する。すなわち、ボタン５０２ｂ〜５０２ｇ（ハードウェアキー）の押下または、アイコン５２０〜５２５へのタッチがされたか（タッチ検出したか）否かを判定する。機能が選択されたと判定した場合は、Ｓ３０９へ進み、そうでない場合は、Ｓ３０８へ進む。
【００５４】
Ｓ３０８では、システム制御部５０は、フォーカス設定が選択されたか否かを判定する。フォーカス設定は、アイコン５２５へのタッチまたは、ボタン５０２ｇへの押下によって選択される。またはリモコン５０４からの指示に応じて設定可能である。フォーカス設定が選択されたと判定した場合は、Ｓ３１０へ進み、そうでない場合は、Ｓ３１１へ進む。
【００５５】
Ｓ３０９では、システム制御部５０は、通信部５０６を介して機能選択に関するリモコン５０４側からの指示を受け付けたか否かを判定する。リモコン５０４側からの指示を受け付けたと判定した場合には、Ｓ３０８へ進み、そうでない場合は、Ｓ３０４に戻る。
【００５６】
Ｓ３１０では、システム制御部５０は、Ｓ３０９においてフォーカス設定が選択されたと判定された後、さらに顔ＡＦに設定されたか否かを判定する。フォーカス設定が選択され、さらにＡＦとＭＦの切り替えや、顔検知の設定のＯＮ／ＯＦＦを設定することができ、ＡＦかつ顔検知がＯＮになる顔ＡＦが可能となる。つまり、アイコン５２６へのタッチ操作またはボタン５０２ｄの押下によりＡＦに設定され、さらにアイコン５２７へのタッチ操作またはボタン５０２ｂの押下により顔検知がＯＮになると設定される。また、アイコン５２６へのタッチ操作またはボタン５０２ｄの押下により、ＡＦからＭＦ（マニュアルフォーカス）へと切り替え可能であり、さらにアイコン５２７へのタッチ操作またはボタン５０２ｂの押下により、顔検知をＯＮからＯＦＦに切り替え可能である。フォーカス設定画面において顔ＡＦに設定されると、図５（ｂ）に示す検出された顔座標の位置と、検出された顔の中から主顔を選択可能な主顔設定画面が表示部５０１に表示される。図５（ｂ）の主顔設定画面においては、上述した検出された顔の位置を示す顔枠５２８と主顔を示す主顔枠５３０が表示される。
【００５７】
Ｓ３１１では、システム制御部５０は、Ｓ３０９でフォーカス設定以外の機能が選択されたと判定されたので、他の機能に関する設定処理を行う。他の機能とは例えば、オーディオ設定や、フレームレートの設定、ホワイトバランスの設定等である。
【００５８】
Ｓ３１２では、システム制御部５０は、Ｓ３１０においてフォーカス設定が顔ＡＦ以外に設定されたと判定されたので、ＡＦ（顔ＡＦでない）またはＭＦの処理を行う。ＡＦ処理では、ユーザの撮像指示に応じてＡＦ処理をする。このとき、合焦する被写体（位置）を選択できるようにしてもよい。また、ＭＦ処理では、図５（ｇ）に示すようにフォーカス距離を選択できるようにしてもよい。図５（ｇ）は、ＭＦをする場合の表示部５０１の表示例であり、ＭＦをする場合であっても撮像画像は表示部５０１には表示しない。
【００５９】
Ｓ３１３では、システム制御部５０は、電源のＯＦＦや電池が切れたことにより処理が終了されたか否かを判定する。電源のＯＦＦは、電源スイッチ７２のスイッチ切替により行うことができる。処理が終了されたと判定した場合には、処理を終了し電源をＯＦＦにして処理を終了する、そうでない場合には、Ｓ３１４へ進む。デジタルカメラ３００側の処理が終了するとリモコン５０４側の処理も終了する。
【００６０】
Ｓ３１４では、システム制御部５０は、撮像部２２により得られた撮像画像から、上述した顔検出の処理により顔を検出し、さらに顔のある位置の座標を取得する。座標は、図５（ｂ）に示すように、主顔選択可能範囲（合焦可能な範囲）のうち左上の点を原点として右方向にＸ軸、下方向にＹ軸を設ける。図５（ｂ）に示す座標軸ＸとＹは、座標を説明するための表示であり、実際に表示部５０１に表示されるわけではない。このとき、検出された顔の位置座標はシステムメモリ５２に記録され、検出がされる度に更新される。
【００６１】
Ｓ３１５では、システム制御部５０は、表示部５０１とファインダ内表示部９１に、Ｓ３１４において検出された顔の座標（Ａ、Ｂ、Ｃとする）に顔枠を表示する。図５（ｂ）の表示部５０１に示すように、顔枠５２８を表示し、さらに主顔には主顔に主顔枠５３０を表示する。図５（ｂ）では、Ｓ３１４において検出された顔の数が３、一番右にいる人物（座標Ｃの位置にいる人物）が主顔としたが、人数や主顔となる被写体はこれに限らず、撮像部２２により得られた撮像範囲内（撮像画像内）から検出された顔検出結果による。また、図５（ｃ）のファインダ内表示部９１に示すように、撮像画像５３１（ライブビュー画像）に重畳して、顔枠５２８を表示し、さらに主顔枠５３０を表示する。主顔枠５３０は後述するＳ３１８、Ｓ３１９においてユーザの指示による主顔の選択を受け付けるまで表示しなくてもよいし、検出された顔のうち、撮像画像において面積の大きな顔を主顔として主顔枠５３０を表示するようにしてもよい。
【００６２】
Ｓ３１６では、システム制御部５０は、システムメモリ５２に記憶されているリモコン５０４との接続状態が、接続状態か、非接続状態であるかを判定する。接続状態であると判定した場合には、Ｓ３１７へ進み、そうでない場合は、Ｓ３１８へ進む。
【００６３】
Ｓ３１７では、システム制御部５０は、通信部５０６を介してリモコン５０４側に顔の数、各顔の位置座標、主顔の位置座標等を送信する。下記に示すように、検出された顔の数、各顔の位置座標、主顔の位置座標を送信する。
【００６４】
デジタルカメラからリモコンへの送信の情報
顔の数：３
顔の位置座標：Ａ（Ｘａ，Ｙａ）、Ｂ（Ｘｂ，Ｙｂ）、Ｃ（Ｘｃ，Ｙｃ）
主顔の位置座標：Ｃ（Ｘｃ，Ｙｃ）
主顔が選択されていなければ、主顔に関する情報は送信しなくてもよい。
【００６５】
Ｓ３１８では、システム制御部５０は、通信部５０６を介してリモコン５０４からの主顔情報を受け付けたか否かを判定する。リモコン５０４からの主顔情報を受け付けたと判定した場合は、Ｓ３２６へ進み、そうでない場合は、Ｓ３１９へ進む。下記にはリモコン５０４からの主顔情報を示す。
【００６６】
リモコンからデジタルカメラへの送信情報
主顔の位置座標：Ｂ（Ｘｂ，Ｙｂ）
Ｓ３１９では、システム制御部５０は、表示部５０１において主顔を選択する操作があったか否かを判定する。表示部５０１における（デジタルカメラ３００側の）主顔の選択は、タッチパネル５０２ａに表示される顔枠へのタッチ操作により行うことができる。主顔の選択操作があったと判定した場合には、Ｓ３２４へ進み、そうでない場合は、Ｓ３２０へ進む。
【００６７】
Ｓ３２０では、システム制御部５０は、撮影指示があったか否かを判定する。撮影指示は、シャッターボタン６１への押下により行うことができる。撮影指示があったと判定した場合は、Ｓ３２１へ進み、そうでない場合は、Ｓ３１３へ進む。
【００６８】
Ｓ３２１では、システム制御部５０は、現在動画の撮影中（動画の記録中）であるか否かを判定する。撮影中であると判定した場合には、Ｓ３２２へ進み、そうでない場合は、Ｓ３２３へ進む。
【００６９】
Ｓ３２２では、システム制御部５０は、Ｓ３２１で記録中であると判定されたので、Ｓ３２０の撮影指示に応じて撮影を終了し、記録終了処理をする。記録終了処理では、動画の属性情報、フレーム間情報、サムネイルの作成、圧縮処理等を行い作成した動画を再生できるような処理を行う。これらの情報は記録媒体２００に動画と共に保存される。このとき、システムメモリ５２に記録されていた主顔情報も共に記録してもよい。
【００７０】
Ｓ３２３では、システム制御部５０は、動画の記録を開始する。このとき、現在選択されている主顔に合焦した画像が記録される。Ｓ３１４〜Ｓ３２７の処理において、記録中であっても主顔を変更することができるので、動画の撮影中にも、ある人物に合焦した後に他の人物に素早く合焦する人物を切り替えることができる。
【００７１】
Ｓ３２４では、システム制御部５０は、システムメモリ５２に記憶されているリモコン５０４との接続状態が、接続状態か、非接続状態であるかを判定する。接続状態であると判定した場合には、Ｓ３２５へ進み、そうでない場合は、Ｓ３２６へ進む。
【００７２】
Ｓ３２５では、システム制御部５０は、表示部５０１において選択した主顔に関する情報を含む情報（顔の数、各顔の位置座標、主顔の位置座標等）を、通信部５０６を介して送信する。
【００７３】
Ｓ３２６では、システム制御部５０は、表示部５０１及びファインダ内表示部９１に、選択された主顔の座標に主顔枠５３０を表示する。また、もともと主顔に設定されていた他の被写体（顔）がある場合には、もともとの主顔の位置には、主顔枠５３０ではなく顔枠５２８が表示される。Ｓ３１５と同様に、ファインダ内表示部９１では、撮像画像５３１に重畳して顔枠と主顔枠は表示される。また、このとき、選択された主顔の位置座標はシステムメモリ５２に記録される。
【００７４】
Ｓ３２７では、システム制御部５０は、選択された主顔にＡＦする処理をし、Ｓ３１３に戻り、再びＳ３１４以降の処理を行う。被写体の顔の位置がずれたり、撮像範囲内にある顔の数が変わったとしても、Ｓ３１４において再び顔のある位置座標を取得するので、顔枠や主顔枠が表示される位置や数を更新することができる。なお、顔検出はＳ３１４だけでなく、所定期間毎に行うようにしてもよい。
【００７５】
なお、本実施形態では、デジタルカメラ３００側から主顔情報や位置座標等をリモコン５０４側に送信することを説明したが、必ずしも送信しなくても、例えばリモコン５０４がシャッター速度やホワイトバランス等の他の項目の設定中には送信しなくてもよい。
【００７６】
次に、図４を用いて本実施形態におけるリモコン側のＡＦ位置の指定処理について説明する。この処理は、不揮発性メモリ５１１に記録されたプログラムをシステムメモリ５１０に展開してシステム制御部５０９が実行することで実現する。なお、この処理は、リモコン５０４に電源が入ると開始する。
【００７７】
Ｓ４０１では、システム制御部５０９は、デジタルカメラ３００と通信可能であるか否かを判定する。通信可能である場合には、デジタルカメラ３００に電源が入っており、リモコン５０４側とデジタルカメラ３００側の通信が確立すると、通信可能となる。通信可能であると判定された場合には、Ｓ４０２へ進み、そうでない場合は、通信が確立するまで待つ。
【００７８】
Ｓ４０２では、システム制御部５０９は、デジタルカメラ３００から通信部５０３を介して、デジタルカメラ３００本体のモード（再生モード、撮影モード等のいずれであるか）を取得する。
【００７９】
Ｓ４０３では、システム制御部５０９は、Ｓ４０２で取得したデジタルカメラ３００のモードが撮影モードであるか否か（Ｓ３０４においてＹｅｓとなったか）を判定する。撮影モードであると判定された場合は、Ｓ４０４へ進み、そうでない場合は、Ｓ４０５へ進む。
【００８０】
Ｓ４０４では、システム制御部５０９は、ホーム画面を表示部５０５に表示する。図５（ｄ）に示すように、リモコン５０４側の表示部５０５にも、表示部５０５とは別に設けられたボタン５０８ｂ〜５０８ｇが表示部５０５の上辺と下辺に沿ってある。図５（ｄ）においては、ボタン５０８ｂの表示されている上辺の左側の位置に対応する、表示部５０５の上辺の左側の位置にはアイコン５２７が表示されている。ボタン５０８ｂの押下によって、アイコン５２７の選択操作を行うことができ、またアイコン５２７への（タッチパネル５０８ａへの）タッチ操作によっても選択をすることができる。このように、リモコン５０４においても表示部５０５の周辺に配置されるボタンへの押下や、タッチパネル５０８ａへのタッチ操作によって項目の選択や機能の実行等の操作をすることができる。また、表示部５０５の上辺に沿っては、ボタン５０８ｂ〜ボタン５０８ｄが、下辺に沿っては、ボタン５０８ｅ〜ボタン５０８ｇが配置されている。
【００８１】
Ｓ４０５では、システム制御部５０９は、図３のＳ３０６と同様に他のモード処理をする。
【００８２】
Ｓ４０６では、システム制御部５０９は、リモコン５０４側で図３のＳ３０７と同様に機能が選択されたか否かを判定する。機能が選択されたと判定した場合は、Ｓ４０８へ進み、そうでない場合は、Ｓ４０７へ進む。
【００８３】
Ｓ４０７では、システム制御部５０は、通信部５０３を介して機能選択に関するデジタルカメラ３００側からの指示を受け付けたか否かを判定する。デジタルカメラ３００側からの指示を受け付けたと判定した場合には、Ｓ４０８へ進み、そうでない場合は、Ｓ４０３に戻る。
【００８４】
Ｓ４０８では、システム制御部５０は、リモコン５０４側の操作もしくはＳ４０７で受け付けたデジタルカメラ３００側の指示によって、フォーカス設定がされたか否かを判定する。リモコン５０４におけるフォーカス設定は、Ｓ４０６におけるホーム画面でのＦＯＣＵＳ５２５へのタッチ、もしくはボタン５０２ｇの押下により行うことができる。フォーカス設定がされたと判定した場合は、Ｓ４１０へ進み、そうでない場合は、Ｓ４０９へ進む。
【００８５】
Ｓ４０９では、システム制御部５０は、図３のＳ３１１と同様に他の処理を行う。
【００８６】
Ｓ４１０では、システム制御部５０は、図３のＳ３１０と同様にフォーカス設定が顔ＡＦであるか否かを判定する。設定が顔ＡＦであると判定した場合には、Ｓ４１２へ進み、そうでない場合は、Ｓ４１１へ進む。
【００８７】
Ｓ４１１では、システム制御部５０は、図３のＳ３１２と同様にＭＦやＡＦの処理を行う。ただし、リモコン５０４側では、デジタルカメラ３００側にＭＦやＡＦの指示をする処理を行い、実際の合焦動作はデジタルカメラ３００側で行われる。ＡＦ処理を行う場合に、合焦する被写体を選択できるようにしてもよい。また、ＭＦ処理では、図５（ｇ）に示すようにフォーカス距離を選択できるようにしてもよい。
【００８８】
Ｓ４１２では、システム制御部５０は、図３のＳ３１３と同様に、電源のＯＦＦや電池が切れたことにより処理が終了されたか否かを判定する。さらにＳ４１２では、デジタルカメラ３００側の電源がＯＦＦになった場合でも終了したと判定する。処理が終了されたと判定した場合には、処理を終了し電源をＯＦＦにして、そうでない場合には、Ｓ４１３へ進む。
【００８９】
Ｓ４１３では、システム制御部５０は、デジタルカメラ３００側から（図３のＳ３１７またはＳ３２５で送信された）顔の数、各顔の位置座標、主顔の位置座標等を取得する。取得した情報はシステムメモリ５１０に記録される。
【００９０】
Ｓ４１４では、システム制御部５０は、表示部５０５に顔枠を表示する。図５（ｄ）は主顔設定画面を示しており、デジタルカメラ３００で撮像された画像をリモコン５０４は通信部５０３を介して受信していないので、主顔設定画面には撮像画像は表示されない。リモコン５０４は、デジタルカメラ３００で検出された顔の位置を示す顔座標と、検出された顔の中で選択された顔である主顔の座標とを取得し、表示部５０５上の対応する座標位置に顔枠５２８と主顔枠５３０を表示する。図５（ｄ）では、図４のＳ３１７でデジタルカメラ３００側から送信された情報を受信した場合の表示例を示している。検出された顔の位置座標はＡ，Ｂ，ＣなのでＡ，Ｂ，Ｃの位置に人物の顔があり、主顔はＣの位置であるという情報を受信したので、主顔設定画面においては座標Ａ，Ｂの位置に顔枠５２８を、座標Ｃの位置に主顔枠５３０を表示する。ユーザは、実際の被写体や、撮像表示画面、シナリオに沿って、顔枠と対応する人物とを認識し、表示された顔枠の情報に基づいて主顔の選択をすることができる。このときに、撮像画像は送受信せずに、検出された顔座標と主顔に関する情報を送受信しているので、主顔設定画面に表示される被写体の位置情報に遅延が少ない。そのため、被写体が頻繁に動く場合や被写体同士の位置が変わる場合にも実際の被写体の位置と主顔設定画面上での位置とのずれが撮像画像の送受信をするよりも少なくなるため、狙った被写体へのＡＦ指示をより正確に行うことができる。
【００９１】
Ｓ４１５では、システム制御部５０は、表示部５０５において顔枠を選択する操作があったか否かを判定する、顔枠を選択する操作があったと判定した場合は、Ｓ４１６へ進み、そうでない場合は、Ｓ４１２へ戻る。顔枠の選択は、図５（ｄ）の主顔設定画面に示すように、顔枠へのタッチ操作によって行うことができる。
【００９２】
Ｓ４１６では、システム制御部５０は、Ｓ４１５において選択された主顔に主顔枠５３０を表示する。図５（ｄ）において座標Ｂにある顔枠５２８がタッチされると、図５（ｅ）の主顔設定画面に示すように、座標Ｂに主顔枠５３０が表示される。一方で、今まで主顔であったＣの位置にある顔は主顔ではなくなるので、主顔枠５３０から顔枠５２８へと表示が切り替わる。選択された主顔に関する情報はシステムメモリ５１０に記録される。このように、主顔枠５３０と顔枠５２８との表示形態を（識別可能に）変えることで、被写体（人物の顔）の位置と、ＡＦ処理を行っている位置との情報を把握することができる。
【００９３】
Ｓ４１７では、システム制御部５０は、Ｓ４１５において選択された主顔の座標を、通信部５０３を介してデジタルカメラ３００に送信する。下記に、リモコン５０４からデジタルカメラ３００への送信情報を示す。
【００９４】
リモコンからデジタルカメラへの送信情報
主顔の位置座標：Ｂ（Ｘｂ，Ｙｂ）
リモコン５０４側では、顔検出を行わないので、主顔情報（主顔座標）のみを送信する。このとき、デジタルカメラ３００のファインダ内表示部９１では、図５（ｆ）に示すようにＢの座標の被写体に主顔枠５３０が表示され、Ｂにフォーカスが合うように処理が行われる。
【００９５】
以上、説明した実施形態によれば、デジタルカメラにおいてＡＦ位置等の特定の処理の基準となる位置（被写体）を、デジタルカメラから離れた位置にあるリモコン等のリモートで選択する場合に、より確実にユーザが意図した被写体を基準とすることができる。撮像画像は送受信せず、撮像画像より検出された顔の座標情報を送受信するので、通信量が限られていたり、撮像画像の容量が大きい場合であっても、被写体の位置に関する情報は実際に撮像されたタイミングにより近いタイミングでリモコン側に伝わる。よって、ユーザは撮像されたタイミングからよりずれが少ない状態で、被写体の位置情報を認識することができ、さらに主顔の選択をすることができる。実際に撮像されたタイミングからのずれが少ないと被写体の撮像範囲内での位置のずれも少ないので、ユーザの選択した被写体がリモコンからの指示後にも、同じまたは近い位置にいる可能性が高い。よって、デジタルカメラ側ではより確実にユーザがリモコンで選択した被写体へとＡＦ処理をすることができる。また、被写体の座標情報だけを表示すればよいので表示領域が限られているような場合であっても、ユーザはＡＦ処理する被写体の選択を行うことができる。
【００９６】
なお、検出された顔に番号を付与し、デジタルカメラ３００側からリモコン５０４側へは、各顔の番号と座標とを対応させて送信し、リモコン５０４側からは選択された主顔の番号のみをデジタルカメラ３００に送信してもよい。または、顔の識別番号でなくても、デジタルカメラ３００での顔検出と同時に、検出された顔の人物特定も行い（事前に顔情報を登録する）人物名（名前、記号、印等の識別子）と座標情報を対応させて表示してもよい。リモコン５０４の表示部５０５（デジタルカメラ３００の表示部５０１でも）人物名が表示されると、顔枠だけの表示であってもすぐに人物と顔の位置とが分かる。リモコン５０４で表示領域が十分にない場合には、人物名のみを送受信して、主顔とする人物を選択できるようにしてもよい。
【００９７】
なお、本実施形態では顔枠は一重の線で、主顔枠を二重の線で表現したが必ずしもこのような表示形態でなくてもよく、例えば、四角で囲ったり、顔の領域に色をつけて顔があることをユーザが認識できればよい。
【００９８】
本実施形態では、デジタルカメラ３００側からの顔座標や主顔情報を受け取ったことに応じて、リモコン５０４側の表示部５０５の表示も、受け取った顔座標や主顔情報に合わせて表示し直すことを説明した。しかし、必ずしもデジタルカメラ３００側から顔座標や主顔情報を受け取ったら、受け取った情報に合わせて表示をし直さなくてもよく、例えば顔ＡＦ以外の制御を行っていない場合等には、必ずしも切り替えなくてもよい。ただし、顔ＡＦの制御を行っている場合には、主顔に関する情報をデジタルカメラ３００側と合わせる必要がある。
【００９９】
なお、本実施形態では、顔枠の選択をタッチ操作で行うものとして説明したが、タッチでなくても十字キーへの操作やダイヤル操作、ボタン操作等の操作であってもよい。
【０１００】
なお、システム制御部５０、５０９が行うものとして説明した上述の各フローチャートの制御は１つのハードウェアが行ってもよいし、複数のハードウェアが処理を分担することで、装置全体の制御を行ってもよい。
【０１０１】
また、上述した各種実施形態においては、本発明をデジタルカメラ３００、リモコン５０４に適用した場合を例にして説明した。しかし、この例に限定されず、ＡＦ処理、ＡＥ処理、ＷＢ処理といった特定の処理を行う位置を変更する制御を行うことができる撮像制御装置であれば適用可能である。即ち、本発明はパーソナルコンピュータ（ＰＣ）や、携帯電話端末や携帯型の画像ビューワ、デジタルフォトフレーム、音楽プレーヤー、ゲーム機、電子ブックリーダー、タブレットＰＣ、スマートフォン、家電装置等に適用可能である。また、デジタルカメラ等のＡＦ情報を有線または無線通信を介して受信して表示し、リモートでデジタルカメラ（ネットワークカメラを含む）を制御するスマートフォンやタブレットＰＣ、デスクトップＰＣなどの装置にも適用可能である。
【０１０２】
（他の実施形態）
本発明は、以下の処理を実行することによっても実現される。即ち、上述した実施形態の機能を実現するソフトウェア（プログラム）をネットワーク又は各種記録媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記録媒体は本発明を構成することになる。
【図１】
0006611575.tif 000002
【図２】
0006611575.tif 000003
【図３】
0006611575.tif 000004
【図４】
0006611575.tif 000005
【図５】
0006611575.tif 000006